(57)【要約】【課題】セルライト等の解消に役立つとともに、多機能でありながらコンパクトな構造で、片手で掴んで使用することができ、使いやすい美容器を提供すること。【解決手段】本発明は、本体部２に配されるローラー３の転動によるマッサージ機能、吸引手段４による吸引機能に加え、ローラー３の刺激信号の出力による刺激機能を備え、使用時にこれらの機能全てを組み合わせて実施することができるため、使用者の肌等のセルライト等の解消や筋膜リリースという効果を相乗的に発揮することができる美容器１となる。さらに、多機能でありながら、本体部２が、内部に吸引手段４と、ローラー３を底面２３に配設して一体化したコンパクトな構造であるとともに、使用者の手を挿入可能な空間からなる挿入部２１と、かかる挿入部２１の内部に、挿入された使用者の手の掌を載置可能な載置部２２を備え、片手で掴んで使用することができる使いやすい美容器１となる。【選択図】図４
2017038822.tif 000002
【特許請求の範囲】
【請求項１】
使用者の手を挿入可能な空間からなる挿入部と、当該挿入部の内部に挿入された前記使用者の手の掌を載置可能な載置部を外面に備えた本体部と、
当該本体部の底面に形成された開口部に配され、刺激信号を出力可能なローラーと、
前記本体部に内蔵され、前記開口部から外部の空気を吸引するための吸引手段と、
を備えることを特徴とする美容器。
【請求項２】
前記本体部の前記使用者の手が挿入される側が、上嘴部及び下嘴部の間に前記挿入部が形成された、側面視で嘴形状とされ、
前記載置部が前記下嘴部の上面となり、
前記本体部に、前記挿入部と連通し、使用者の指を挿入可能な開口穴からなる指挿入部が形成されていることを特徴とする請求項１に記載の美容器。
【請求項３】
前記上嘴部の下面、及び前記下嘴部の上面が、上方を凸にした丸みを帯びた形状とされ、
使用者が前記挿入部に手を挿入し、前記指挿入部に指を挿入した状態で、前記載置部が掌に収まることを特徴とする請求項２に記載の美容器。
【請求項４】
前記吸引された空気を外部に排出する空気抜き機構を有することを特徴とする請求項１ないし請求項３のいずれかに記載の美容器。
【請求項５】
前記吸引された空気が含むドレンを貯留し、前記本体部に対して取り外し可能なドレンタンクを備えることを特徴とする請求項１ないし請求項４のいずれかに記載の美容器。
【請求項６】
前記ローラーが、前記本体部の底面に対して取り外し可能なローラーカップに取り付けられていることを特徴とする請求項１ないし請求項５のいずれかに記載の美容器。
【発明の詳細な説明】
【技術分野】
【０００１】
本発明は、美容器に関する。さらに詳しくは、セルライト等の解消に役立つ美容器に関する。
【背景技術】
【０００２】
セルライトとは、一般に、皮下組織のうち、主に腹部・臀部・大腿部に不均一ないしはブロック状に存在し、血管に隣接している脂肪細胞が血管から離れて浮遊して、かかる浮遊した脂肪細胞に老廃物や水分等が付着するとともに、コラーゲン等が巻き付いて巨大化した組織等のことを指すといわれている。人間は、むくみや脂肪等が肥大することにより、神経、血管等が圧迫され脂肪細胞の周りに余分な成分や老廃物が付着していき、脂肪の代謝を妨げるようになり、例えば、椅子に長時間座った状態も、体重が太ももの裏やお尻等にかかり血行障害を起こし、セルライトが生成されやすくなる。【０００３】
また、セルライトは、特に女性の体に生成されやすく、一般に、８〜９割ないしはそれ以上の女性にセルライトは存在するといわれている。一方、セルライトは一度生成されてしまうと運動や食事制限だけでは容易に解消されない性質のものであり、肥満解消の為にはセルライトの解消を目的とした特別の施療・施術が必要とされる。【０００４】
近年、美容効果を目的とした種々の美容器が検討されている。ここで、回転可能なローラーを肌や皮膚等（以下、単に「肌等」とする場合がある。）にあてて回転、転動させることによりマッサージ効果をもたらすことは公知であり、かかるローラーを利用した美容器が提供されており、偏芯させたローラーを用いることや、ローラーを振動させたりする美容器も知られている（例えば、特許文献１を参照。）。また、ポンプ等の吸引手段ないし減圧手段を備え、吸引機能等を利用した美容器も提供されている（例えば、特許文献２を参照。）。
【先行技術文献】
【特許文献】
【０００５】
【特許文献１】特開２００４−２４３０５６号公報
【特許文献２】特開２００５−５８５９３号公報
【発明の開示】
【発明が解決しようとする課題】
【０００６】
しかしながら、ローラーの転動だけでは、実際は、肌等に対してはマッサージを行うにすぎず、適当な美容効果はあっても、セルライト等の解消にはそれほど役立たない場合が多かった。【０００７】
また、ローラーの転動に加えることも含め、吸引機能を備える場合は、別途、真空ポンプ等の吸引手段を具備する必要があることや、吸引する部分にカップを必要とする場合もあるため、美容器全体のサイズが大きくなってしまったり、使い勝手が悪くなり、手軽に使用できないという問題があった。よって、多機能でありながら、コンパクトな構造で使いやすい美容器の開発が望まれていた。【０００８】
本発明は、前記の課題に鑑みてなされたものであり、肥満等の原因となるセルライト等の解消に役立つとともに、多機能でありながらコンパクトな構造で、片手で掴んで使用することができ、使いやすい美容器を提供することにある。
【課題を解決するための手段】
【０００９】
前記の課題を解決するために、本発明に係る美容器は、使用者の手を挿入可能な空間からなる挿入部と、当該挿入部の内部に挿入された前記使用者の手の掌を載置可能な載置部を外面に備えた本体部と、当該本体部の底面に形成された開口部に配され、刺激信号を出力可能なローラーと、前記本体部に内蔵され、前記開口部から外部の空気を吸引するための吸引手段と、を備えることを特徴とする。【００１０】
本発明に係る美容器は、前記した本発明において、前記本体部の前記使用者の手が挿入される側が、上嘴部及び下嘴部の間に前記挿入部が形成された、側面視で嘴形状とされ、前記載置部が前記下嘴部の上面となり、前記本体部に、前記挿入部と連通し、使用者の指を挿入可能な開口穴からなる指挿入部が形成されていることを特徴とする。【００１１】
本発明に係る美容器は、前記した本発明において、前記上嘴部の下面、及び前記下嘴部の上面が、上方を凸にした丸みを帯びた形状とされ、使用者が前記挿入部に手を挿入し、前記指挿入部に指を挿入した状態で、前記載置部が掌に収まることを特徴とする。【００１２】
本発明に係る美容器は、前記した本発明において、前記吸引された空気を外部に排出する空気抜き機構を有することを特徴とする。【００１３】
本発明に係る美容器は、前記した本発明において、前記吸引された空気が含むドレンを貯留し、前記本体部に対して取り外し可能なドレンタンクを備えることを特徴とする。【００１４】
本発明に係る美容器は、前記した本発明において、前記ローラーが、前記本体部の底面に対して取り外し可能なローラーカップに取り付けられていることを特徴とする。
【発明の効果】
【００１５】
本発明は、本体部に配されるローラーの転動によるマッサージ機能、吸引手段による吸引機能及びローラーの刺激信号の出力による刺激機能（刺激信号（電気信号）の印加による電気刺激機能）を備え、使用時にこれらの機能全てを組み合わせて実施することができるため、使用者の肌等のセルライト等の解消という効果を相乗的に発揮することができる美容器となる。加えて、本発明は使用者の筋膜の癒着を効率よく引き剥がす、いわゆる筋膜リリースを簡便に実施することができる。【００１６】
さらに、前記したように多機能でありながら、本体部が、内部に吸引手段、底面に刺激信号を出力可能なローラーを配設して一体化したコンパクトな構造であるとともに、使用者の手を挿入可能な空間からなる挿入部と、かかる挿入部の内部に、挿入された使用者の手の掌を載置可能な載置部をその外面に備え、片手で掴んで使用することができる使いやすい美容器となる。
【図面の簡単な説明】
【００１７】
【図１】本発明に係る美容器の一態様を示した上方から見た斜視図である。
【図２】本発明に係る美容器の一態様を示した下方から見た斜視図である。
【図３】美容器の側面図である。
【図４】美容器の内部構造の概略図である。
【図５】操作パネルによる制御の概要を示した説明図である。
【図６】美容器の底面図である。
【図７】ローラーカップを示した分解斜視図である。
【図８】ポンプ周辺の部材を示した斜視図である。
【図９】開口部から吸引された空気の経路を示した説明図である。
【図１０】空気抜き機構を示した説明図である。
【図１１】空気抜き機構を示した説明図である。
【図１２】試験例１において、超音波真皮計測装置による測定結果を示した図である。
【図１３】試験例２において、被験者の脚外観の測定結果を示した図である。
【図１４】試験例２において、被験者の脚外観の測定結果を示した図である。
【発明を実施するための形態】
【００１８】
（Ｉ）本発明に係る美容器１の構成：
以下、図面を用いて、本発明に係る美容器１の一態様について説明する。
【００１９】
図１は、本発明に係る美容器１の一態様を示した上方から見た斜視図、図２は、本発明に係る美容器１の一態様を示した下方から見た斜視図（上方及び下方については図１、図３及び図４を参照。以下同じ。）、図３は、美容器１の側面図、図４は、美容器１の内部構造の概略図、をそれぞれ示す。本発明に係る美容器１は、使用者の手Ｈ（図３参照。）を挿入可能な空間からなる挿入部２１と、かかる挿入部２１の内部に挿入された使用者の手の掌（てのひら）Ｐ（図３参照。）を載置可能な載置部２２をその外面に備えた本体部２と、かかる本体部２の底面２３に形成された開口部２４に配され、刺激信号を出力可能なローラー３と、本体部２に内蔵され、開口部２４から外部の空気を吸引するための吸引手段（ポンプ）４と、を基本構成として備える。なお、図３では、美容器１を把持する使用者の手Ｈを点線で示している。また、図４は、美容器１の本体部２に内蔵される部材の一部は図示していない。
【００２０】
美容器１の本体部２は、ポンプ４等の部材を内蔵し、ローラー３等を配する筐体であり、例えば、ＡＢＳ樹脂等の合成樹脂から構成することができ、前記したように、吸引手段となるポンプ４を内蔵し、底面２３に形成された開口部２４にローラー３を配するものである。本実施形態にあっては、図１ないし図４に示すように、本体部２における使用者の手Ｈが挿入される側（挿入部２１が形成される側のことであり、図１等では本体部２の後方（図１の矢印方向参照。以下同じ。）側）が、側面視で嘴（くちばし）形状とされており、使用者の手Ｈが挿入される側と反対側（図１等では本体部２の前方（図１の矢印方向参照。以下同じ。））が底面２３から繋がる流線形状とされている態様を示している。嘴形状（Ｂｉｌｌ  Ｓｈａｐｅ）とは、図１等に示すように、鳥が嘴を開いた状態を指し、嘴の開いた部分が挿入部２１となり、後記するように、開いた部分の上方に上嘴部２７、下方に下嘴部２８が存在する。
【００２１】
本体部２の嘴形状は、先端を丸く尖らせた上嘴部２７及び下嘴部２８が形成されるとともに、これらの上嘴部２７及び下嘴部２８の間に挿入部２１が形成されて構成される。上嘴部２７は、本体部２の前方の流線形状と繋がり、本実施形態では、上面２７ａ及び下面２７ｂとも、上方を凸とした丸みを帯びた形状とされ、下嘴部の上面２８ａは、上方を凸とした丸みのある形状とされるとともに、上嘴部２７と下嘴部２８との間に形成される挿入部２１に使用者の手Ｈを挿入した場合に、使用者の掌Ｐを載置可能な載置部２２とすることができる。本実施形態に係る美容器１は、本体部２が、内部にポンプ４を、また、刺激信号を出力可能なローラー３を底面２３に配設してコンパクトに一体化した、多種の機能を備えた美容器１でありながら、前記した構成により、片手で把持して使用することができる形状とされている。
【００２２】
本実施形態では、本体部２の前方側に、挿入部２１と連通し、使用者の指Ｆを挿入可能な開口穴からなる略楕円形状の２つの指挿入部２６が形成されている構成を示している。このような構成で、使用者が挿入部２１に手Ｈを挿入し、指挿入部２６に指Ｆを挿入した状態で、載置部２２が掌Ｐに収まることにすれば、片手での使いやすさがさらに向上する。また、使用者の手Ｈを挿入した際に、手の甲Ｂと掌と接する部分である上嘴部の下面２７ｂと、載置部２２となる下嘴部の上面２８ａが上方を凸とした丸みを帯びた形状とされているため、挿入される手の甲Ｂ及び掌Ｐがフィットしやすくなる。
【００２３】
さらに、図３に示すように、嘴形状において、側面視で上嘴部２７が下嘴部２８より短いようにすれば、使用者の手Ｈの掌Ｐとともに、手の甲Ｂがより一層フィットしやすくなるので好ましい。このように、本実施形態に示した本体部２については、使いやすさを考慮した、エルゴノミックなデザインからなる形状とされている。なお、「掌Ｐに収まる」とは、載置部２２の挿入側の端部２２ａ（図３等参照。）が掌Ｐに収まることはもちろんであるが、端部２２ａが掌Ｐから多少はみ出る状態や、掌Ｐが端部２２ａから多少はみ出る状態等も含むものとする。
【００２４】
かかる形状の本体部２により構成される美容器１を使用するに際し、使用者は、例えば、開口された挿入部２１に手Ｈを挿入し、掌Ｐを下嘴部２８における載置部２２に載せ（かつ、指Ｆを指挿入部２６に挿入して）、片手で美容器１を把持するようにして、底面２３に配されるローラー３を肌や皮膚等（肌等）に接触させて使用してもよい。また、手Ｈで上嘴部２７を掴んで使用するようにしてもよい。
【００２５】
なお、下嘴部の下面２８ｂには、図２に示すように、操作パネル５が配設されている。下嘴部の下面２８ｂに配設されている操作パネル５は、電源の入／切等や、後記するローラー３の刺激機能、及び開口部２４を吸引口として、外部の空気を吸引する吸引機能等を操作するものである。
【００２６】
図５は、操作パネル５による制御の概要を示した説明図である。操作パネル５は、美容器１の本体部２に内蔵される制御部７を介して、図示しない超音波発振回路を設けた電子回路基板（電気回路基板）３２（図４参照。）を含んだ刺激信号発生部３３と繋がるローラー３、及びポンプ４と電気的に接続され、これらのモードの選択や出力レベルの操作等を可能とするものである。
【００２７】
図６は、美容器１の底面図である。操作パネル５は、図６に示すように、操作ボタンとして、電源ボタン５１、吸引モードボタン５２、ＥＭＳモードボタン５３、レベル上昇ボタン５４、レベル下降ボタン５５が、また、ランプとして、レベル表示ランプ５６、バッテリーランプ５７がそれぞれ形成されている。なお、操作パネル５は、刺激機能（刺激信号（電気信号）の印加による電気刺激機能）のモードの一例であるＥＭＳモードを備え、かかるＥＭＳモードを操作するボタンとしてＥＭＳモードボタン５３が形成されたものを示しており、刺激機能のモードもＥＭＳモードとして説明している。
【００２８】
電源ボタン５１は、美容器１の電源の入／切（オン（ＯＮ）／オフ（ＯＦＦ））、吸引モード及びＥＭＳモードの開始、停止、一時停止等について操作するものである。例えば、電源ボタン５１を数秒押圧すると電源が「入」となり、吸引モードボタン５２のランプ及びＥＭＳモードボタン５３のランプが点滅するようにしてもよい。
【００２９】
操作を一時停止させる場合には、例えば、動作中に電源ボタン５１を押圧することにより、吸引モードあるいはＥＭＳモードともに使用しているレベルのまま動作が一時停止されるようにしてもよい。また、電源ボタン５１を数秒押圧することにより、電源が「切」となるようにしてもよい。
【００３０】
また、電源を「入」とした状態で、電源ボタン５１を再度押圧することにより、吸引モードの動作を開始することができるが、吸引モードボタン５２は、操作状態がＥＭＳモード（ＥＭＳ機能を操作可能）の時に押圧することにより、吸引モード（吸引機能を操作可能）に変換されるようにしてもよい。逆に、ＥＭＳモードボタン５３は、操作状態が吸引モードの時に押圧することにより、ＥＭＳモードに変換されるようにしてもよい。
【００３１】
レベル上昇ボタン５４は、操作しているモード（吸引モード、ＥＭＳモード）の出力を上昇させるものであり、例えば、一度押圧するごとにモードの出力が１段階上昇される。レベル下降ボタン５５は、操作しているモード（吸引モード、ＥＭＳモード）の出力を下降させるものであり、例えば、一度押圧するごとにモードの出力が１段階下降される。
【００３２】
レベル表示ランプ５６は、前記した操作の状態にあわせて、吸引モード及びＥＭＳモードのレベルを表示するものであり、図６には、６段階でレベルが表示されている。また、バッテリーランプ５７は、内蔵されるバッテリー（充電池）２５（図４参照。）の残量を表示するものであり、例えば、消灯時はバッテリー残量が○○％以上（使用に問題ない。）、点灯時はバッテリー残量が○○％未満（そろそろ充電の必要があり。）、点滅時はバッテリー残量が××％未満（すぐに充電の必要があり。）、等のように表示することができる。なお、前記した○○％や××％は任意に決定することができる。
【００３３】
美容器１の本体部２に内蔵されるバッテリー２５の充電は、図示しない充電コードの一方の端である機器用プラグを美容器１の操作パネル５付近にある差込口２９（図２参照。）に接続し、充電コードの他方の端である電源プラグを図示しないコンセントに挿入することにより、実施することができる。
【００３４】
図６等に示すように、美容器１（本体部２）の底面２３には、開口部２４が形成されている。開口部２４は、本実施形態にあっては、短辺を外側に向かって膨らむ曲線とした略矩形状とし、また、図４に示すように、開口部２４の内部は、略逆さ椀状とされた凹部２４ｘが形成され（かかる凹部２４ｘにそのまま後記するローラーカップ６が取り付けられる。）、かかる開口部２４の内部には、２つのローラー３が配設されている。このように、ローラー３が配設される部分（凹部２４ｘ）が開口部２４の内部に形成されるため、従来の美容器のように、カップ等の部材が外部に現れることもない。
【００３５】
ローラー（回転子）３は、その回転軸３１が美容器１の動作方向（図１の矢印方向参照。）と直交するようにして配設されており、本実施形態にあっては、その表面襞状の凹凸面を有する略卵形状（中央部を大径としたした略全体紡錘形状）の部材からなる態様を示している。ローラー３１は、開口部２４の内部に、美容器１の動作方向に対して直交するように支架された回転軸３１を中心にして回転可能に取り付けられ、２つの（一対の）ローラー３が平行に並んだ状態で支持されている。
【００３６】
回転軸３１に回転自在（転動自在）に支持されたローラー３は、使用者の手Ｈが本体部２を把持して、ローラー３が配設される底面２３を使用者の肌等に押し付けることにより、かかる肌等にローラー３の外周部が身体に押し当てられる。また、前記した美容器１の動作方向に動かすことにより、ローラー３が回転、転動することにより、肌等をマッサージすることができ、セルライト等の解消に役立つ。また、ローラー３の転動によって肌等を引き上げることができるので、吸引機能によるセルライト等の解消がなされやすくなる。
【００３７】
本実施形態にあっては、ローラー３は、美容器１の底面２３に配設されるローラーカップ６に取り付けられている。ローラーカップ６は、ローラー３を含めて美容器１（本体部２）に対して取り外し可能とすることができる。
【００３８】
図７は、ローラーカップ６を示した分解斜視図である。ローラーカップ６は、本実施形態にあっては、回転軸３１を有するローラー３に加え、固定部材６１が配設される。また、タップ６２により上面に固定配設される電極部材６３は、電子回路基板３２（図４や図５参照。）と電気的に接続されるとともに、開口部２４に配設されるローラー３とも電気的に接続される。
【００３９】
ローラー３は使用者の肌等に密着して使用されるが、使用者の肌等には後記するようにジェル等が塗布されている場合が多いことや、使用者の肌等から剥がれた角質や汚れ等からローラー３を洗浄する必要がある。
【００４０】
一方、ローラー３が美容器１に取り付けられて固定されたままでは、洗浄が困難であるばかりか、本体部２の内部に水等が混入し、故障等の原因になる場合がある。よって、ローラーカップ６をローラー３も含めて美容器１の本体部２から取り外し可能とすることにより、ローラー３の洗浄を簡便かつ容易に行うことができるとともに、洗浄時の本体部２への水の混入等を防止することができる。
【００４１】
本発明にあって、開口部２４に配設されるローラー３は電極となり、刺激信号を発生することにより、刺激信号（電気信号）の印加による電気刺激機能（単に「刺激機能」として示しているところもある。）により、セルライト等の分解、解消に有効となる。刺激機能の代表例として、例えば、セルライト等の解消に有効なＥＭＳ（Ｅｌｅｃｔｒｉｃａｌ  Ｍｕｓｃｌｅ  Ｓｔｉｍｕｌａｔｉｏｎ：電気的筋肉刺激）機能が知られている。かかるＥＭＳ機能は、人間に電気を流し、細胞や筋肉を刺激するものであり、美容器１にあっては、ローラー３が肌等と接触することにより、接触する肌等に刺激信号（低周波ないし高周波の刺激信号）が印加され、筋肉が刺激されて、その結果セルライト等の分解、解消を導くことができる。
【００４２】
美容器１は、ローラー３について、転動によるマッサージ機能だけでなく、それを電極にして刺激信号を発生する刺激機能を発揮する媒体として用いている。そして、かかるマッサージ機能及び刺激機能と、これもセルライト等の解消に有効な、吸引手段４（ポンプ４）を用いた吸引機能とを組み合わせて実施することができる点で、セルライト等の解消という効果を相乗的に発揮することができる。
【００４３】
刺激信号は、刺激信号（電気信号）の印加による電気刺激機能を効率よく発揮するためには、低周波ないし高周波の電気的な刺激信号（低周波パルス、中周波パルス、高周波パルス等。）を印加するものであり、例えば、電気的な刺激信号として、低周波（例えば、１〜１０００Ｈｚ等。）、中周波（例えば、１０００〜２０００Ｈｚ等。）や高周波（例えば、３０００Ｈｚ以上とされ、３０００〜５００００Ｈｚ等。）の周波数域から刺激信号を選択して使用すればよいと考えられる。
【００４４】
一般に、周波数が高いほど肌等の深い場所に刺激を与えることができ、例えば、低周波では肌（皮膚）下数ｍｍ、中周波では数ｃｍとなる。また、高周波では１０ｃｍ以上の深さで、いわゆるインナーマッスルに到達する刺激を与えることができる。以上より、肌等のどのくらいの深さに刺激を与えるかを考慮して、電気的な刺激信号の周波数の範囲を決定するようにしてもよい。
【００４５】
ローラー３が電気的に接続される刺激信号発生部３３は、図示しない超音波発振回路を設けた電子回路基板３２を含み、制御部７を介した操作パネル５からの操作により、出力レベルの調整も含め、超音波発振回路からの信号をもとに、ローラー３から刺激信号を印加させることができる。
【００４６】
なお、刺激信号の波形は、セルライト等の解消に役立つための、美容に適する種々の波形を適用することができ、いわゆるドレナージュモード等を使用するようにしてもよいが、特に制限はなく、従来公知の波形を用いるようにすればよい。なお、単一の波の２つ、あるいはそれ以上を複合して形成された干渉波を用いて、より大きな刺激を与えるようにしてもよい。
【００４７】
ローラー３は、刺激信号を発生し、肌等に印加可能なように、導電性材料を用いて構成されることが好ましい。導電性材料としては。例えば、ステンレス（ＳＵＳ）、銀、白金、アルミニウム、ジュラルミン、銅、あるいはこれらの材料にクロムメッキ等のメッキ加工を施したもの等が挙げられるが、これらには限定されない。
【００４８】
一方、本発明に係る美容器１が有する吸引機能は、ローラー３が配設されている開口部２４を吸引口として、かかる開口部２４と空気的に連通し、本体部２に内蔵される吸引手段であるポンプ４が稼働して外部の空気を吸引することにより実施される。また、ポンプ４は、制御部７を介した操作パネル５からの操作により、出力レベルも含めた吸引動作が調整される。
【００４９】
図８は、ポンプ４周辺の部材を示した斜視図である。本体部２に内蔵されるポンプ４は、タンク４１を上方に配し、本体部上部２ａ及び本体部下部２ｂに挟まれるようにして、本体部２の内部に固定される。また、ポンプ４の接続部４ａとタンク４１の接続部４１ａは接続され、空気的に連通することになる。また、チューブｔ３は、吸引穴２４ａと接続され、空気的に連通することになる。ポンプ４の能力については、吸引した際に真空状態を好適に維持すべく、最大吐出流量、最大吐出圧力、最大真空到達度等を適宜決定すればよい。
【００５０】
ポンプ４には、後記する空気抜きボタン４２が、チューブｔ１，ｔ２を介してポンプ４と空気的に連通するように配設される。空気抜きボタン４２は、本体部上部２ａに形成された取付穴４３から、本体部上部２ａの外部の側面に現れるように取り付けられる。また、本体部２には、ドレンタンク４４（ドレインタンクとも呼ばれる。図８では、ドレンタンク４４と蓋体４４ａが分解されて示されている。）が、取り外し可能に取り付けられることになる。
【００５１】
空気抜きボタン４２は、内部に図示しない弁が取り付けられ、空気抜きボタン４２を押圧することにより、弁が開放状態とされる。空気抜きボタン４２は、チューブｔ１，ｔ２を介してポンプ４等と空気的に連通しており、後記するように、美容器１が有する空気抜き機構は、空気抜きボタン４２を押圧し、内部の弁を開放状態とすることにより、空気がチューブｔ１，ｔ２と空気的に連通する排出穴２４ｂから抜かれることにより実施される。このように、吸引機能を実施中に肌等を吸引しすぎた場合には、ポンプ４を停止した状態で、空気抜きボタン４２を押すことにより、吸引された空気を外部に排出することができる。
【００５２】
図９は、開口部２４から吸引された空気の経路を示した説明図である。なお、図９及び後記する図１０、図１１について、「ＩＮ」は空気の吸引、「ＯＵＴ」は空気の排出、をそれぞれ示す。美容器１の本体部２の底面２３を肌等に密着させた状態でポンプ４を稼働させると、底面２３に形成された吸引口である開口部２４の吸引穴２４ａから、空気と、あらかじめ肌等に塗布された図示しないジェル（ジェルについては後記する。）、肌等の汚れ、老廃物等（ジェル等）が吸引される。吸引された空気とジェル等（以下、単に「空気等」とする場合がある。）は、開口部２４の吸引穴２４ａから上方にあるポンプ４方向に移動し、吸引穴２４ａと繋がれる、ポンプ４周辺のチューブｔ３を介してタンク４１を通過する。
【００５３】
タンク４１は、吸引された空気等の経路を変換し、空気等は、下方に取り付けられ、タンク４１と空気的に連通されるドレンタンク４４に導入される。ドレンタンク４４は、送り込まれる空気等のうち、不要分（ドレン）であるジェル等を貯留する。ジェル等が取り除かれた空気がドレンタンク４４から再度上方に排出され、タンク４１に戻されることになり、真空状態が維持される。
【００５４】
図１０及び図１１は、空気抜き機構を示した説明図である。なお、図１０及び図１１では、操作パネル５及びローラーカップ６は取り外した状態を示している。ポンプ４を停止した状態で、空気抜きボタン４２を押圧することにより、空気抜きボタン４２の内部にある弁が開放され（真空状態が開放され）、空気抜きボタン４２から空気が吸引される（太線実線矢印の「ＩＮ」。）。吸引された空気は、空気抜きボタン４２と空気的に連通するチューブｔ１，ｔ２を介して、開口部２４に形成された排出穴２４ｂから空気が外部に排出されることになる（点線矢印の「ＯＵＴ」。）。
【００５５】
（II）美容器１の使用方法：
美容器１を使用するには、操作パネル５の操作により、吸引モード及び刺激機能のモードであるＥＭＳモードの出力レベルを調整した上で、ローラー３が配設されている底面２３を美容対象となる肌等に接触させ、美容器１を図１の矢印方向に沿って動かし、開口部２４の内部にあるローラー３を、肌等に密着させた状態で回転、転動させる。
【００５６】
ポンプ４による吸引及びローラー３の転動により、真空状態となった開口部２４の内部にセルライト化した肌等がゆっくり引き上げられる。また、転動するローラー３が引き上げられた肌等を巻き込み、肌等の深部のセルライトを揉みほぐしていく。
【００５７】
さらに、ローラー３に印加される刺激信号に基づく刺激機能により、老廃物の排泄を促すことができる。このように、ローラー３によるマッサージとポンプ４による吸引機能によりコラーゲン線維がからみついた脂肪細胞が揉みほぐされ、脂肪の代謝が上がり、刺激信号（電気信号）の印加による電気刺激機能により付着した老廃物の排泄を促すことにより、セルライトの解消等を導くことができる。
【００５８】
なお、美容器１の使用の前には、使用者の肌等に潤滑剤等となるジェルを塗布することが好ましい。ジェルの塗布により、美容器１のローラー３が肌等の上を滑りやすくなり、赤みや内出血等の発生を防止することができる。また、ジェルにはローラー４ないしローラーカップ６と肌等の気密性を高める効果があり、美容器１の吸引機能を補完する。さらに、刺激機能による電気刺激を、ローラーカップ６内に吸引された肌等に導電させる媒質の役割も兼ねることになる。
【００５９】
ジェルを構成する成分としては、特に制限はないが、水を溶媒として、例えば、グリセリン、ＢＧ（ブチレングリコール）、ＤＰＧ（ジプロピレングリコール）、カルボマー、キサンタンガム、アルギニン、アルゲエキス、イチョウ葉エキス、ブドウ葉エキス、セイヨウアカマツ球果エキス、アシタバ葉／茎エキス、マテ茶葉エキス、コーヒー種子エキス、ＰＥＧ−６０アーモンド脂肪酸グリセリル、セチルヒドロキシエチルセルロース、メチルパラベン、アラントイン、グリチルリチン酸２Ｋ、フェノキシエタノール、水酸化カリウム、加水分解コラーゲン、水溶性コラーゲン、オトギリソウエキス、アルニカ花エキス、シナノキエキス、ゼニアオイエキス、セイヨウノコギリソウエキス、セージ葉エキス、トウキンセンカ花エキス等の各成分を含有するものを用いるようにしてもよい。
【００６０】
（III）本発明の効果：
以上説明した本発明によれば、本体部２の底面２３に形成された開口部２４に配されるローラー３の転動によるマッサージ機能に加え、セルライト等の解消に有効とされる吸引手段（ポンプ）４による吸引機能に加え、ローラー３の刺激信号の出力による刺激機能（刺激信号（電気信号）の印加による電気刺激機能）を備え、使用時にこれらの機能全てを組み合わせて実施することができるため、使用者の肌等のセルライト等の解消という効果を相乗的に発揮することができる美容器１となる。加えて、本発明は使用者の筋膜の癒着を効率よく引き剥がす、いわゆる筋膜リリースを簡便に実施することができる。
【００６１】
さらに、本発明は、前記したように多機能でありながら、本体部２が、内部に吸引手段（ポンプ）４、底面２３に刺激信号を出力可能なローラー３を配設して一体化したコンパクトな構造であるとともに、使用者の手Ｈを挿入可能な空間からなる挿入部２１と、かかる挿入部２１の内部に、挿入された使用者の手Ｈの掌Ｐを載置可能な載置部２２をその外面に備えており、例えば、挿入部２１に手Ｈを挿入し、掌Ｐを載置部２２に載せて片手で掴んで使用することができる等、使いやすい美容器１となる。
【００６２】
本発明は、使用の際、ローラーカップ６の内部に使用者の皮下脂肪を吸引させながら、使用者の肌の深部のセルライトをローラー３によって揉み解していくことで、絡みついたコラーゲン線維をセルライトから引き離し、圧迫されたリンパ管や血管に隙間を持たせることにより、老廃物の排泄を促進させる等により、サイズダウンを含むセルライトの解消等を図ることができる。また、吸引されたセルライトに、ローラー３により同時にＥＭＳで刺激を与えることで、リンパ管や血管の流れ（循環）の改善という相乗効果を高めることが可能となる。
【００６３】
セルライトは肌等の表面に凹凸を生じさせるため、人体の外観にも影響を及ぼすが、本発明によるセルライトの解消により、かかる凹凸を消滅させることができる。セルライトは、一般に、解消には長期間を要するも、短期間で元に戻る性質であるが、本発明によるセルライトケアでは、前記したようにリンパ管や血管の流れ（循環）も改善するため、セルライトの解消を比較的短期間で実施できるとともに、セルライトの再生を予防できる。
【００６４】
また、本発明に係る美容器１は、前記したセルライトの解消効果等に加えて、筋膜の癒着を効率よく引き剥がす（リリース）ことができる（筋膜リリース）。人体における痛みの発生する場所はトリガーポイントと呼ばれるが、トリガーポイントの殆どが、筋膜が癒着した部分であると考えられている。一方、トリガーポイントによって引き起こされるいわゆる筋膜性疼痛症候群（Ｍｙｏｆａｓｃｉａｌ  Ｐａｉｎ  Ｓｙｎｄｒｏｍｅ：ＭＰＳ）にあっては、検査では異常が認められず、痛みを感じる場所と痛みが発生する場所（トリガーポイント）が離れているケースもよくある。
【００６５】
ＭＰＳの治療方法は、トリガーポイントの癒着を解消するための筋膜リリース（癒着した筋膜を引き剥がすこと）により痛みを除去するものが多い。一般に、エステティックサロン等における筋膜リリースは、手技等によるマッサージや所定の器具を使った運動で圧をかけ、「押す」ないしは「伸ばす」という施術を行うものであり、この結果、痛みを伴うものもある。
【００６６】
これに対して、本発明に係る美容器は、吸引機能を備えた上で、ＥＭＳ機能を備えたローラー３により、一定の圧力を加えた状態で筋膜を伸張させる処理を行うことができる。その結果、「引きながら剥がす」という理学療法的な取り組みにより、使用者にはソフトな感覚で、痛みを伴わず簡単に筋膜リリースを実施することができる。本発明に係る美容器１は、ＭＰＳの原因ともなる癒着した筋膜を、短時間で痛みなく簡単にリリースすることができるものである。
【００６７】
また、本発明に係る美容器１は、前記したＭＰＳの改善に加えて、筋膜の滑走性改善にも効果があることが期待される。さらに、筋肉、筋膜を中心に全身に起きてくる諸症状を改善させることができ、これらの例として、Ｏ脚やＸ脚等の体の歪みや姿勢の改善の効果を期待できることから、同時にボディメイキングができるものである。このように、美容器１により、吸引しながらＥＭＳ機能を備えたローラー３で揉みほぐすことで、比較的短時間かつ容易に筋膜の癒着を引き剥がし、前記効果を得ることができる。
【００６８】
（IV）実施形態の変形：
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。本発明は前記した各実施形態に限定されるものではなく、本発明の目的を達成できる範囲での変形や改良は、本発明に含まれるものである。
【００６９】
例えば、前記した実施形態では、ローラー３の形状は、前記したように、略卵形状（中央部を大径した全体紡錘形状）の態様を示しているが、ローラー３の形状としては、これ以外のもの、例えば、円筒状、球状等のものを採用しても問題はない。なお、ローラー３の回転については、前記したように特に駆動体を設けないようにしてもよく、また、図示しない駆動体（モーター等）を本体部２に内蔵する等によって、電動で（電気的に）回転するようにしてもよい。
【００７０】
前記した実施形態では、美容器１の本体部２の形状として、図１等に示した形状を例にして説明したが、本体部２は、使用者の手Ｈを挿入可能な空間からなる挿入部２１と、かかる挿入部２１の内部に挿入された使用者の手の掌Ｐを載置可能な載置部２２を外面に備えた任意の形状を採用することができる。
【００７１】
前記した実施形態では、操作パネル５における操作ボタンとして、電源ボタン５１、吸引モードボタン５２、ＥＭＳモードボタン５３、レベル上昇ボタン５４、レベル下降ボタン５５が、また、ランプとして、レベル表示ランプ５６、バッテリーランプ５７がそれぞれ形成されている態様を例に挙げて説明したが、操作パネル５における操作ボタン等の種類等や、操作ボタン及びランプが形成された操作パネル５の操作方法ないしは吸引機能や刺激機能であるＥＭＳ機能の調整方法についても、前記した説明の内容には限定されず、対応する制御部７の構成や必要とされる諸機能のレベル等を勘案して、任意に決定することができる。
その他、本発明の実施の際の具体的な構造及び形状等は、本発明の目的を達成できる範囲で他の構造等としてもよい。
【実施例】
【００７２】
以下、試験例等に基づき本発明をさらに詳細に説明するが、本発明は、これらに限定されるものではない。【００７３】
［試験例１］
セルライトの解消効果及びサイズダウン効果の確認：
本発明の美容器によるセルライトの解消効果及びサイズダウン効果を確認するため、１０人の被験者（女性）（被験者１〜１０）に対して、前記した図１等に示した構成の美容器１（実施例１の美容器）を用いて下記の方法で被験者の下半身及び上半身を処理して、下記の評価項目で評価した。なお、本試験（試験例１）における処理は、被験者自らが実施した。後記する試験例２については、被験者以外の人間が被験者に対して処理を実施した。【００７４】
（評価項目）
（１）サイズの採寸：
被験者の各部位（「二の腕の太さ（右、左）」、「へそ周り」、「へそ上」、「へそ下」、「尻」、「太もも上部（右、左）」、「太もも中央（右、左）」、「ふくらはぎ（右、左）」）について、美容器による処理前後のサイズを採寸（単位は全て（ｃｍ）。）した。なお、参考として被験者の「身長」及び「体重」も測定した。【００７５】
（２）体脂肪率等の測定：
「体脂肪率（％）」、「体脂肪量（ｋｇ）」、「骨格筋量（ｋｇ）」の各項目について、ボディーコンポジションアナライザー「ＩｎＢＯＤＹ７２０」を用いて、処理前後の数値を測定した。【００７６】
（３）カラースケールによる視覚的確認：
超音波真皮計測装置「Ｄｅｒｍａ  Ｌａｂ」（登録商標）を用いて、カラースケール（黒→緑→青→赤→橙→黄→白の順にコラーゲン密度が高くなる。）により、効果を視覚的に確認した。【００７７】
（処理方法）
下記の内容で、下半身及び上半身を美容器によって処理する操作を施した。なお、特に記載しない限り、美容器は、ローラーの存在する面を被験者に向けて使用し、美容器を動かすことでローラーも回転させるようにした。また、被験者の処理対象部位には、適宜ジェルを塗布して使用した。処理は、基本的には各項目を１回５〜１０分程度実施し、これを週４回×５週間（計２０回）実施した。空気の吸引及びローラーによる刺激信号の発生を処理中に実施して吸引機能及びＥＭＳ機能を発揮するようにし、それらの出力モードは、処理の内容に対応して適する出力モード（出力レベル）を適宜調整した。【００７８】
（処理：下半身）
（Ａ）足裏：
被験者の足の裏の中央に美容器を置いた状態で吸引し、被験者が吸引されていると感じたら、足の裏をかかとに向かってゆっくりと動かして往復させるようにした。また、同様な操作を、土踏まずのラインに対して実施した。【００７９】
（Ｂ）膝下前面：
被験者の膝下の外側に対して、足首から膝に向かって美容器を動かした。【００８０】
（Ｃ）ふくらはぎ：
被験者の膝下の内側に対して、足首から膝に向かって美容器を動かした。【００８１】
（Ｄ）膝周り：
被験者の膝周り（横、上）に対して上に向かって、美容器を流すように動かした。【００８２】
（Ｅ）太もも前面：
被験者の太ももの外側に対して、鼠径リンパ節に向かって、美容器を流すように動かした。【００８３】
（Ｆ）太もも内側：
被験者の太ももの内側に対して、鼠径リンパ節に向かって美容器を流すように動かした。【００８４】
（Ｇ）太もも裏側：
被験者の太ももの裏側に対して、尻に向かって美容器を流すように動かした。【００８５】
（Ｈ）尻：
被験者の尻に対して、尻を持ち上げるように上方向に向かって美容器を動かした。【００８６】
（処理：上半身）
（Ａ）腹（１）：
被験者の腸骨に沿って（骨盤の出っ張りを意識しながら）、ウエストから鼠径リンパ節に向かって美容器を動かした。また、肋骨に沿って、外側から中央に向かって美容器を動かした。【００８７】
（Ｂ）腹（２）：
「くびれ」を作るように、外側から中央に向かって美容器を動かした。【００８８】
（Ｃ）腹（３）：
被験者の鼠径リンパ節に向かって、腹全体を流すように美容器を動かした。【００８９】
（Ｄ）腰回り：
腰をほぐすように、被験者の腰から尻に向かって美容器を動かした。【００９０】
（Ｅ）腕内側
手首から肘の内側に向かって、肘下の内側全体に対して美容器をまんべんなく動かした。また、肘の内側から脇に向かって、二の腕の内側全体に対して美容器をまんべんなく動かした。【００９１】
（Ｆ）腕外側
手首から肘に向かって、肘下に対して美容器をまんべんなく動かした。また、二の腕の外側に対して、美容器を肘から脇に向かって動かした。【００９２】
（測定結果）
【表１】
2017038822.tif 000003
【００９３】
前記の処理を実施し、実施前後の（１）及び（２）の測定結果を表１に示す。表１に示すように、美容器を用いて前記の処理を行った結果、（１）に挙げた各部位の採寸結果は、ほとんどについて数値が減少した。加えて、（２）で挙げた項目についても、ほとんどについて数値が減少していた。なお、表１において、骨格筋量は微増ないし微減であり、骨格筋量の過度の減少はなくサイズダウンできているのは、食事制限を行わなかったことの裏付けともいえ、食事制限を行うことなくサイズダウンが実施されたことを示す。【００９４】
後記するようにセルライトの解消がなされていたこととあわせて、セルライトの解消によるサイズダウンが確認できた。特に、体脂肪率はほとんどの被験者で顕著な低下が確認され、これは、美容器を用いた処理によるセルライトの解消効果が体脂肪量の減少に大きく関わっているものと考えられる。【００９５】
また、超音波真皮計測装置「Ｄｅｒｍａ  Ｌａｂ」による測定結果（測定部位：太ももの裏側）を図１２に示す。測定時は、測定部位に市販のベビーオイルを少量塗布し、その皮膚上でプローブを当てて超音波を瞬間的に照射するようにした。プローブから超音波を皮膚表面に当てることにより、超音波に対して異なる性質を持つ面で反射（エコー）する特性を利用するもので、脂肪や筋肉の中では反射は起こらず、真皮層と皮下脂肪との界面を視覚的に表示することができる。なお、図１２中、Ｗはコラーゲン線維が絡みついたセルライト、Ｘは表皮、Ｙは真皮層、Ｚは皮下脂肪、をそれぞれ示す。【００９６】
図１２に示すように、測定結果からは、凹凸が消え、真皮層と皮下脂肪との界面が平坦状になっており、セルライトの減少ないし解消が確認された。美容器による処理前は、コラーゲン線維と絡みついた脂肪細胞が真皮層を圧迫して、その界面が凹凸になり、平坦状でなくなっていたものが、美容器による処理により、圧迫された状態が解かれ、真皮層と皮下脂肪との界面が平坦状になるように改善されたものと考えられる。なお、図１２は一例であるが、殆どの被験者でこの減少が確認できた。【００９７】
なお、図１２において、白色部分が若干減少したように見える現象に関しては、セルライトに絡み付いていた硬化したコラーゲン線維が、美容器を用いた揉みほぐし作用によって剥がされ、さらにＥＭＳ刺激で排泄が促されたことによる。そのため、コラーゲン線維同士の結びつきが正しく並ぶようになり、コラーゲンの密度が均一化したものと考えられる。【００９８】
［試験例２］
筋膜リリースによるＯ脚やＸ脚改善効果の確認（筋膜リリース効果の確認）：
筋膜リリースによるＯ脚やＸ脚改善効果を確認すべく、前記した図１等に示した構成の美容器１（実施例１の美容器）を用いて、被験者（女性）に下記の処理を施した前後の状態を確認した。なお、処理は１回（１５分）実施し、試験例１と同様、特に記載しない限り、美容器は、ローラーの存在する面を被験者に向けて使用し、美容器を動かすことでローラーも回転させるようにした。また、被験者の処理対象部位には、適宜ジェルを塗布して使用した。空気の吸引及びローラーによる刺激信号の発生を処理中に実施して吸引機能及びＥＭＳ機能を発揮するようにし、それらの出力モードは、処理の内容に対応して適する出力モード（出力レベル）を適宜調整した。【００９９】
（１）処理：バックライン（足（足底））：
まず、前処理として、以下の手技を行った。被験者をうつ伏せにし、丸めたバスタオル等を被験者の足首下に置いた状態で、母指を重ねて、中央から中足骨手前まで、圧をしっかりかけながら、ゆっくりと動かすようにした。【０１００】
次に、美容器により、中足骨の手前を吸引し、静止させた状態で、被験者に足趾をすねに向かって「反らす、戻す」運動を繰り返した（５回を目安に繰り返した。）。【０１０１】
美容器を踵に向かって少しずつ移動させ、足趾をすねに向かって「反らす、戻す」運動を繰り返した。これも、５回を目安に繰り返した。【０１０２】
踵から中足骨に向かって、押し流すように、美容器をゆっくりと動かした。中足骨の横のアーチ、踵の上の横アーチを 外側から内側に向かって、美容器をゆっくりと動かした。 最後に、掌で足底全体を撫で下ろした。  【０１０３】
（２）処理：バックライン（脚（後面））：
まず、前処理として、以下の手技を行った。すなわち、脚全体に、両手でジェル（トリートメントジェル）を伸ばすようにした。ジェルを伸ばしたら、両母指でアキレス腱を上へ一方向に流した。次に、四指でくるぶしの両側を手前に引き上げるように流した。さらに、片手で握り拳を作り、ふくらはぎ全体を軽擦した。【０１０４】
被験者の足を軽く「く」の字に曲げて、美容器を、外くるぶしの上のラインを膝に向かって、繋げてゆっくりと３回流すように動かした。また、同ラインを４つに分けて、吸引したまま静止させた。 同時に、被験者に足首の曲げ伸ばしを、５回を目安として繰り返して行った。最後に、再度同じラインに対して美容器をゆっくりと流し、これを３回繰り返した。【０１０５】
腓腹筋（外側）に対して垂直に美容器を当て、外側から中央に向かって小さく動かした。次に、太もも裏に対して、リンパ節の上をほぐすように、美容器をゆっくりと動かした。また、ハムストリングスの分かれ目（太もも裏の中央）から上方向（尻方向）に、美容器をゆっくりと動かした。【０１０６】
太ももの外側（腸脛靭帯）からウエスト（腸骨）まで、 美容器をゆっくりと動かした。次に、太ももの内側（半膜様筋）を吸引したまま静止させた。それと同時に、被験者には、膝をゆっくり曲げ伸ばししてもらった。前記の吸引したまま静止の処理を、上方向（尻方向）へ少しずつ移動しながら繰り返し実施した。最後に、手のひらで足全体を軽擦した。以上の処理を反対側の脚に対しても同様に実施した。【０１０７】
図１３及び図１４は、被験者の脚外観の測定結果を示した図である。図１３及び図１４に示すように、美容器を用いた前記条件の処理を行った結果、被験者のＯ脚やＸ脚が改善されることが確認できた。図１３及び図１４は一例であるが、他の被験者でもＯ脚やＸ脚の改善が確認できた。
【産業上の利用可能性】
【０１０８】
本発明は、片手で把持することができ、肥満等の原因となるセルライト等の解消に役立つ美容器を提供する手段として美容分野、医療分野、衛生分野等で広く適用可能であり、産業上の利用可能性は高いものである。
【符号の説明】
【０１０９】
１  ……  美容器
２  ……  本体部
２ａ  ……  本体部上部
２ｂ  ……  本体部下部
２１  ……  挿入部
２２  ……  載置部
２２ａ  ……  端部
２３  ……  底面
２４  ……  開口部
２４ａ  ……  吸引穴
２４ｂ  ……  排出穴
２４ｘ  ……  凹部
２５  ……  バッテリー
２６  ……  指挿入部
２７  ……  上嘴部
２７ａ  ……  上嘴部の上面
２７ｂ  ……  上嘴部の下面
２８  ……  下嘴部
２８ａ  ……  下嘴部の上面
２８ｂ  ……  下嘴部の下面
２９  ……  差込口
３  ……  ローラー
３１  ……  回転軸
３２  ……  電子回路基板
３３  ……  刺激信号発生部
４  ……  ポンプ
４ａ  ……  接続部
４１  ……  タンク
４１ａ  ……  接続部
４２  ……  空気抜きボタン
４３  ……  取付穴
４４  ……  ドレンタンク
４４ａ  ……  蓋体
５  ……  操作パネル
５１  ……  電源ボタン
５２  ……  吸引モードボタン
５３  ……  ＥＭＳモードボタン
５４  ……  レベル上昇ボタン
５５  ……  レベル下降ボタン
５６  ……  レベル表示ランプ
５７  ……  バッテリーランプ
６  ……  ローラーカップ
６１  ……  固定部材
６２  ……  タップ
６３  ……  電極部材
７  ……  制御部
ｔ１〜ｔ３  ……  チューブ
Ｈ  ……  手
Ｐ  ……  掌
Ｂ  ……  甲
Ｆ  ……  指
Ｗ  ……  コラーゲン線維が絡みついたセルライト
Ｘ  ……  表皮
Ｙ  ……  真皮層
Ｚ  ……  皮下脂肪
【図１】
2017038822.tif 000004
【図２】
2017038822.tif 000005
【図３】
2017038822.tif 000006
【図４】
2017038822.tif 000007
【図５】
2017038822.tif 000008
【図６】
2017038822.tif 000009
【図７】
2017038822.tif 000010
【図８】
2017038822.tif 000011
【図９】
2017038822.tif 000012
【図１０】
2017038822.tif 000013
【図１１】
2017038822.tif 000014
【図１２】
2017038822.tif 000015
【図１３】
2017038822.tif 000016
【図１４】
2017038822.tif 000017
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
使用者の手を挿入可能な空間からなる挿入部と、当該挿入部の内部に挿入された前記使用者の手の掌を載置可能な載置部を外面に備えた本体部と、
当該本体部の底面に形成された開口部に配され、刺激信号を出力可能なローラーと、
前記本体部に内蔵され、前記開口部から外部の空気を吸引するための吸引手段と、
を備え、
前記本体部の前記使用者の手が挿入される側が、上嘴部及び下嘴部の間に前記挿入部が形成された、側面視で嘴形状とされ、
前記載置部が前記下嘴部の上面となり、
前記本体部に、前記挿入部と連通し、使用者の指を挿入可能な開口穴からなる指挿入部が形成されていることを特徴とする美容器。
【請求項２】
前記上嘴部の下面、及び前記下嘴部の上面が、上方を凸にした丸みを帯びた形状とされ、
使用者が前記挿入部に手を挿入し、前記指挿入部に指を挿入した状態で、前記載置部が掌に収まることを特徴とする請求項１に記載の美容器。
【請求項３】
前記吸引された空気を外部に排出する空気抜き機構を有することを特徴とする請求項１または請求項２に記載の美容器。
【請求項４】
前記吸引された空気が含むドレンを貯留し、前記本体部に対して取り外し可能なドレンタンクを備えることを特徴とする請求項１ないし請求項３のいずれかに記載の美容器。
【請求項５】
前記ローラーが、前記本体部の底面に対して取り外し可能なローラーカップに取り付けられていることを特徴とする請求項１ないし請求項４のいずれかに記載の美容器。
【手続補正２】
【補正対象書類名】明細書
【補正対象項目名】０００９
【補正方法】変更
【補正の内容】
【０００９】
前記の課題を解決するために、本発明に係る美容器は、使用者の手を挿入可能な空間からなる挿入部と、当該挿入部の内部に挿入された前記使用者の手の掌を載置可能な載置部を外面に備えた本体部と、当該本体部の底面に形成された開口部に配され、刺激信号を出力可能なローラーと、前記本体部に内蔵され、前記開口部から外部の空気を吸引するための吸引手段と、を備え、前記本体部の前記使用者の手が挿入される側が、上嘴部及び下嘴部の間に前記挿入部が形成された、側面視で嘴形状とされ、前記載置部が前記下嘴部の上面となり、前記本体部に、前記挿入部と連通し、使用者の指を挿入可能な開口穴からなる指挿入部が形成されていることを特徴とする。
【手続補正３】
【補正対象書類名】明細書
【補正対象項目名】００１０
【補正方法】削除
【補正の内容】
【国際調査報告】
2017038822.tif 000018
2017038822.tif 000019
2017038822.tif 000020
2017038822.tif 000021